(57)【特許請求の範囲】
【請求項１】
貯水装置であって、該貯水装置は、ベースと、上側部分と、複数の取り外し可能なパネルと、可撓性ブラダと、を含み、
前記ベースは、下側水平面と、該ベースに取り外し可能に取り付けられたホイールと、前記下側水平面の縁から上方に延びる複数の壁と、を備え、それによって、該ベースに、前記壁および前記下側水平面によって構成される凹部を形成し、前記複数の壁の少なくとも１つは、流体ディスペンサに取り外し可能に結合されるように構成された穴を有し、
前記上側部分は、上側水平面を備え、前記上側水平面は、該上側水平面の縁から下方に延びる複数の壁を有し、それによって、該上側部分に、該上側部分の前記壁および前記上側水平面によって構成される凹部を形成し、前記上側水平面は、穴を有し、
前記取り外し可能な複数のパネルは、前記ベースから前記上側部分まで延びて、該複数のパネルによって構成されるチャンバを形成し、前記複数のパネルは、前記ベースが前記上側部分に隣接するときに、前記ベースの凹部および前記上側部分の凹部によって構成されるハウジングに嵌まり、
前記可撓性ブラダは、前記複数のパネル内に収容され、前記上側水平面の穴と整合するオリフィスを備える、貯水装置。
【請求項２】
少なくとも１つのハンドルをさらに備える、請求項１に記載の貯水装置。
【請求項３】
前記ベースの壁の穴に結合された流体ディスペンサは、蛇口およびホースからなる群から選択される、請求項１に記載の貯水装置。
【請求項４】
前記上側部分の上側水平面の穴を密封する取り外し可能なキャップをさらに備える、請求項１に記載の貯水装置。
【請求項５】
前記ベースから前記上側部分まで延び、前記複数のパネルの間に介在された複数のコラムをさらに備え、該複数のコラムは、前記ベースの凹部および前記上側部分の凹部によって構成された前記ハウジング内で前記取り外し可能なパネルと嵌まり、前記コラムおよび前記複数のパネルは、それらの長さ方向部分に沿って取外し可能に連結可能である、請求項１に記載の貯水装置。
【請求項６】
前記ブラダは、前記ベースの壁の穴に取り外し可能に連結されたオリフィスをさらに備える、請求項１に記載の貯水装置。
【請求項７】
前記上側部分の上側水平面の穴に連結された取り外し可能なホースをさらに備える、請求項１に記載の貯水装置。
【請求項８】
前記ホイールは、前記ベースの下側水平面の下側に取り外し可能に取り付けられている、請求項１に記載の貯水装置。
【請求項９】
前記ホイールは、前記ベースの凹部および前記上側部分の凹部によって構成された前記ハウジング内で前記複数のパネルと嵌まるように構成されている、請求項８に記載の貯水装置。
【請求項１０】
前記ベースは、１つまたはそれ以上の車軸を備え、前記ベースの１つのホイールは、１つの車軸に回転可能に結合される、請求項１に記載の貯水装置。
【請求項１１】
前記車軸は、前記ベースの第１の壁から突出する、請求項１０に記載の貯水装置。
【請求項１２】
貯水装置であって、該貯水装置は、ベースと、上側部分と、複数の取り外し可能なパネルと、可撓性ブラダと、を含み、
前記ベースは、下側水平面と、該ベースに取り外し可能に取り付けられたホイールと、前記下側水平面の縁から上方に延びる複数の壁と、を備え、それによって、該ベースに、前記壁および前記下側水平面によって構成される凹部を形成し、前記複数の壁の少なくとも１つは、流体ディスペンサに取り外し可能に結合されるように構成された穴を有し、
前記上側部分は、上側水平面を備え、前記上側水平面は、該上側水平面の縁から上方に延びる複数の壁を有し、それによって、該上側部分に、該上側部分の前記壁および前記上側水平面によって構成される凹部を形成し、前記上側水平面は、穴を有し、
前記取り外し可能な複数のパネルは、前記ベースから前記上側部分まで延びて、該複数のパネル、前記ベース、および、前記上側部分によって構成されるチャンバを形成し、前記パネルは、該パネルと前記上側部分の間で互いの上に積み重なり、それによって、前記ベースは、前記積み重なりの第１の端に隣接し、前記上側部分は、前記積み重なりの第２の端に隣接するように構成されており、
前記可撓性ブラダは、前記上側水平面の穴と整合するオリフィスを備える、貯水装置。
【請求項１３】
少なくとも１つのハンドルをさらに備える、請求項１２に記載の貯水装置。
【請求項１４】
前記ベースの壁の穴に結合された流体ディスペンサは、蛇口およびホースから群から選択される、請求項１２に記載の貯水装置。
【請求項１５】
前記上側部分の上側水平面の穴を密封する取り外し可能なキャップをさらに備える、請求項１２に記載の貯水装置。
【請求項１６】
前記ベースから前記上側部分まで延び、前記複数のパネルの間に介在された複数のコラムをさらに備え、該複数のコラムは、前記ベースの凹部および前記上側部分の凹部によって構成されたハウジング内で前記取り外し可能なパネルと嵌まり、前記コラムおよび前記複数のパネルは、それらの長さ方向部分に沿って取外し可能に連結可能である、請求項１２に記載の貯水装置。
【請求項１７】
前記ブラダは、前記ベースの壁の穴に取り外し可能に連結されたオリフィスをさらに備える、請求項１２に記載の貯水装置。
【請求項１８】
前記上側部分の上側水平面の穴に連結された取り外し可能なホースをさらに備える、請求項１２に記載の貯水装置。
【請求項１９】
前記ホイールは、前記ベースの下側水平面の下側に取り外し可能に取り付けられている、請求項１２に記載の貯水装置。
【請求項２０】
前記ホイールは、前記ベースの凹部、前記取り外し可能なパネルの積み重なり、および、前記上側部分の凹部によって構成された前記ハウジング内に嵌まるように構成されている、請求項１９に記載の貯水装置。
【請求項２１】
前記ベースは、１つまたはそれ以上の車軸を備え、前記ベースの１つのホイールは、１つの車軸に回転可能に結合される、請求項１２に記載の貯水装置。
【請求項２２】
前記車軸は、前記ベースの第１の壁から突出する、請求項２１に記載の貯水装置。
【請求項２３】
前記ベースの前記複数の壁は、内側壁および外側壁を含み、前記内側壁および外側壁は、それらの間に前記パネルの下側部分を受け入れるように構成され、寸法形状決めされた溝を構成する、請求項１に記載の貯水装置。
【請求項２４】
前記上側部分の前記複数の壁は、内側壁および外側壁を含み、前記内側壁および外側壁は、それらの間に前記パネルの上側部分を受け入れるように構成され、寸法形状決めされた溝を構成する、請求項２３に記載の貯水装置。
【請求項２５】
前記ベースの前記複数の壁は、内側壁および外側壁を含み、前記内側壁および外側壁は、それらの間に前記パネルの下側部分を受け入れるように構成され、寸法形状決めされた溝を構成する、請求項１２に記載の貯水装置。
【請求項２６】
前記上側部分の前記複数の壁は、内側壁および外側壁を含み、前記内側壁および外側壁は、それらの間に前記パネルの上側部分を受け入れるように構成され、寸法形状決めされた溝を構成する、請求項２５に記載の貯水装置。
【請求項２７】
第１の壁に沿って、かつ、該第１の壁に沿って溝内に固定的に位置決めされた第１の案内部材と、
第２の壁に沿って、かつ、該第２の壁に沿って溝内に固定的に位置決めされた第２の案内部材と、
前記第１の壁および前記第２の壁に沿って溝内に延びるように構成されたコラムと、をさらに含み、それによって、それぞれのコラムが前記第１の壁および前記第２の壁に沿ってスライドしないようにされている、請求項１に記載の貯水装置。
【請求項２８】
隣接した壁に沿って、かつ、該隣接した壁に沿って溝内に固定的に位置決めされた第１の追加の案内部材および第２の追加の案内部材と、
前記第１の追加の壁と前記第２の追加の壁の間で隣接した壁に沿って溝内に延びるように構成されたそれぞれのコラムと、をさらに含み、それによって、それぞれのコラムが隣接した壁に沿ってスライドしないようにされている、請求項２７に記載の貯水装置。
【請求項２９】
第１の壁に沿って、かつ、該第１の壁に沿って溝内に固定的に位置決めされた第１の案内部材と、
第２の壁に沿って、かつ、該第２の壁に沿って溝内に固定的に位置決めされた第２の案内部材と、
前記第１の壁および前記第２の壁に沿って溝内に延びるように構成されたコラムと、をさらに含み、それによって、それぞれのコラムが前記第１の壁および前記第２の壁のいずれに沿ってもスライドしない、請求項１２に記載の貯水装置。
【請求項３０】
隣接した壁に沿って、かつ、該隣接した壁に沿って溝内に固定的に位置決めされた第１の追加の案内部材および第２の追加の案内部材と、
前記第１の追加の壁と前記第２の追加の壁の間で隣接した壁に沿って溝内に延びるように構成されたそれぞれのコラムと、をさらに含み、それによって、それぞれのコラムが隣接した壁のいずれに沿ってもスライドしない、請求項２９に記載の貯水装置。  
【請求項３１】
前記取り外し可能なパネルの少なくとも１つが、前記取り外し可能なパネルの少なくとも１つに沿って鉛直に延びる開口部を含む少なくとも１つの部材で形成されており、それによって、使用者が、可撓性ブラダ内の流体のレベルを決定するために可撓性ブラダを視覚的に点検することができる、請求項１に記載の貯水装置。
【請求項３２】
前記取り外し可能なパネルの少なくとも１つが、前記取り外し可能なパネルの少なくとも１つに沿って鉛直に延びる開口部を含む少なくとも１つの部材で形成されており、それによって、使用者が、可撓性ブラダ内の流体のレベルを決定するために可撓性ブラダを視覚的に点検することができる、請求項１２に記載の貯水装置。
【発明の詳細な説明】
【技術分野】
【０００１】
本発明は、流体貯蔵、および、さらに詳しくは、貯水および水移動性に関する。
【背景技術】
【０００２】
流体貯蔵タンクが充填されると、重量が増すので、人力だけにより、移動性は困難になる。自然災害後のような非常時において、小規模の、移動性の、かつ、迅速充填可能な飲料水源がしばしば必要とされる。使用者が非常用給水源を準備することを可能にする十分な容量を有する貯蔵タンクは、重すぎて、水源から避難所に容易に移動することができないことがある。アメリカ合衆国連邦緊急事態管理庁(FEMA)は、４人の家族は、２週間快適に生き延びるために、１人１日当たり１リットルの水を必要とすることを示唆している。この量の、大ざっぱに５６リットルの水を保持するのに十分なかかるタンクの容積は、重く、衛生を保つことが困難なことがある。かかるかなりな量の水でタンクを満たすことは、時間がかかることがある。いくつかの場合には、貯蔵タンクを満たすことができる市民に利用可能な水源は、蛇口に限られる。かかる水源からタンクを満たすことは、時間がかかることがある。かかる水源からタンクを満たすことはまた、かかる水源から水を受け入れることができる貯蔵手段、例えば、バケツの寸法を制限する。しかしながら、緊急事態では、時間は限られていることがある。
【０００３】
必要とされるのは、一般的な家庭用の蛇口から引き出される非常用飲料水供給を貯蔵するための容易に入手可能な装置である。必要とされるのはまた、かかる装置が、比較的短時間で充填可能なことである。
【０００４】
悪天候事態前のような、非常用水備蓄を一般的に必要とする状況では、市民はしばしば、事前に大量のボトル入り水蓄えを購入する。これは。費用がかかることがあり、差し迫った緊急時に備えるときに、他の必要を妨げることがある。
【０００５】
必要とされるのは、災害および断水を予期して購入される水フラット（容器平並べ包装物）を調達し、貯蔵するのに必要なかなりの時間、費用、および、スペースを低減する貯蔵手段である。
【０００６】
バスタブ水ブラダおよび大きな水タンクのような当業界で知られている貯蔵手段は、無駄、こぼれ、および、汚れを生じやすい。非常用給水を貯蔵するための知られた貯蔵手段はしばしば、キッチンおよびダイニングルームのような、飲料および調理のために水の大部分が消費される場所から非常に遠い距離に位置する。知られた貯蔵ツールでは、水を貯蔵領域から消費領域まで移動させることを繰り返すと、しばしば、こぼれおよび／または汚染を招く。
【０００７】
緊急事態では、電力を喪失する高層マンションは、電力駆動水圧をも喪失し得る。高層マンションの住人、特により高い階に住む住人にとって、迅速に、安全に、かつ、給水源を汚染させることなく必要な量の水を移動させることは実行不能なことがある。
【０００８】
郊外および田舎の共同体の住人にとって、自然災害が襲ったときに、局所式水道は一時的に利用不能となり、或いは汚染されることがある。しばしば、代替的水源は、道路閉鎖、洪水、雪、距離、および／または、岩屑堆積物により不能となる。
【０００９】
いくつかの場合には、自然災害後、市役所および他の官庁が市民に貯蔵タンクを分配することは有用ですらあることがある。かかる大規模水分配は、飲料水定量配給を提供するために失われる時間を低減し、少量の水、その場しのぎの水容器を分配することによってこぼされる水の量を低減し得る。市役所および他の官庁は、市民に一時的で安全な給水源を提供する市民グループに本発明を分配することができる。
【発明の概要】
【発明が解決しようとする課題】
【００１０】
必要とされるのは、容易に移動できる非常用飲料水供給を提供する手段である。必要とされるのは、水を搬送し、貯蔵し、分配するための折り畳み可能な、および／または、格納可能な装置である。必要とされるのは、自然災害、或いはその他の緊急シナリオ前、中、および／または、後に、容易に組み立てられ、飲料水が充填される貯蔵装置である。必要とされるのは、飲用水が充填された装置の大きな重量にもかかわらず、充填源から他の領域に、コンパクトで安全な形式で容易に移動できる大規模液体貯蔵を提供する貯水装置である。
【課題を解決するための手段】
【００１１】
本願に記載されている実施形態は、日常的な飲料水がより入手しにくく、或いは入手不能であり得る期間中、消費用飲料水のような液体を貯蔵するのに適したホイール付き装置を含むのがよい。装置の実施形態は、小さい輪郭構成に折り畳み可能であり、格納されるのがよい。装置の実施形態は、１つの場所で組み立てられ、収納式ホイールを使用して水源に転がり移動されるのがよい。いくつかの実施形態は、貯水装置の実施形態を家庭用蛇口のような水源に接続するためのホースと取り外し可能に結合することを可能にする。
【００１２】
１つの実施形態では、貯水装置は、ベースと、上側部分と、複数の取り外し可能なパネルと、可撓性ブラダと、を含み、前記ベースは、下側水平面と、該ベースに取り外し可能に取り付けられたホイールと、前記下側水平面の縁から上方に延びる複数の壁と、を備え、それによって、該ベースに、前記壁および前記下側水平面によって構成される凹部を形成し、前記複数の壁の少なくとも１つは、流体ディスペンサに取り外し可能に結合されるように構成された穴を有し、前記上側部分は、上側水平面を備え、前記上側水平面は、該上側水平面の縁から上方に延びる複数の壁を有し、それによって、該上側部分に、該上側部分の前記壁および前記上側水平面によって構成される凹部を形成し、前記上側水平面は、穴を有し、前記取り外し可能な複数のパネルは、前記ベースから前記上側部分まで延びて、該複数のパネルによって構成されるチャンバを形成し、前記複数のパネルは、前記ベースの凹部および前記上側部分の凹部によって構成されたハウジングに嵌まり、前記可撓性ブラダは、前記上側水平面の穴と実質的に整合するオリフィスを備える。
【００１３】
もう１つの実施形態では、貯水装置は、ベースと、上側部分と、複数の取り外し可能なパネルと、可撓性ブラダと、を含み、前記ベースは、下側水平面と、該ベースに取り外し可能に取り付けられたホイールと、前記下側水平面の縁から上方に延びる複数の壁と、を備え、それによって、該ベースに、前記壁および前記下側水平面によって構成される凹部を形成し、前記複数の壁の少なくとも１つは、流体ディスペンサに取り外し可能に結合されるように構成された穴を有し、前記上側部分は、上側水平面を備え、前記上側水平面は、該上側水平面の縁から上方に延びる複数の壁を有し、それによって、該上側部分に、該上側部分の前記壁および前記上側水平面によって構成される凹部を形成し、前記上側水平面は、穴を有し、前記取り外し可能な複数のパネルは、前記ベースから前記上側部分まで延びて、該複数のパネル、前記ベース、および、前記上側部分によって構成されるチャンバを形成し、前記パネルは、前記ベースと前記上側部分の間で互いの上に積み重なり、それによって、前記ベースは、前記積み重なりの第１の端に隣接し、前記上側部分は、前記積み重なりの第２の端に隣接するように構成されており、前記可撓性ブラダは、前記上側水平面の穴と実質的に整合するオリフィスを備える。
本発明の更なる特徴および利点は、非制限的な例として提供され、添付の図面に示された以下の詳細な説明からより明らかになる。
【図面の簡単な説明】
【００１４】
【図１】貯水装置の例示的な実施形態を示す図である。
【図２Ａ】貯水装置のベースの例示的な実施形態の背面からの内部斜視図である。
【図２Ｂ】貯水装置のベースの例示的な実施形態の正面からの内部斜視図である。
【図３】貯水装置のための上側部分の例示的な実施形態の外部斜視図である。
【図４】貯水装置の例示的な実施形態のチャンバを構成する構成部品を示す図である。
【図５】貯水装置のための可撓性ブラダの例示的な実施形態の斜視図である。
【図６】貯水装置の例示的な実施形態の斜視図である。
【図７】貯水装置の組み立てられた例示的な実施形態の背面図である。
【図８】貯水装置の組み立てられた例示的な実施形態の正面斜視図である。
【図９】貯水装置の組み立てられた例示的な実施形態の側面図である。
【図１０】貯水装置の組み立てられた実施形態の平面図である。
【図１１】貯水装置の組み立てられた例示的な実施形態の正面斜視図である。
【図１２】分解された形態の貯水装置の例示的な実施形態を示す図である。
【図１３】ベースの側壁から突出するホイールを備える代替形態を有する貯水装置の例示的な実施形態を示す図である。
【図１４】代替形態を有する貯水装置の例示的な実施形態を示す図である。
【図１５】分解された形態の貯水装置の例示的な実施形態を示す図である。
【発明を実施するための形態】
【００１５】
本発明は、本願の一部を形成する図面に例示された実施形態を参照して以下に詳細に説明される。本発明の精神および範囲を逸脱することなく、他の実施形態を使用することができ、および／または、他の変形を行うことができる。詳細な説明に記載された例示的な実施形態は、本願で提示された事項を制限することを意味しない。
【００１６】
実施形態は、短時間で、任意の家庭用蛇口から非常用飲料水源を貯蔵する容易に利用可能な能力を提供することができる。いくつかの実施形態では、この非常用飲料水源の能力は、移動性および安全性を犠牲にすることなく、アメリカ合衆国緊急事態管理庁(FEMA)が推奨する１人当たり１４リットルの量（４人家族のための５６リットル）を満たし、或いは、越えることができる。
【００１７】
実施形態は、災害後、或いは他の非常事態において市役所または他の官庁が市民に分配することができる迅速充填可能な飲料水源を提供することができる。かかる実施形態は、より多くの量、市民に対し水を分配することを容易にすることができ、それによって、その場しのぎの容器（例えば、バケツ）の廃棄物および汚染を減少させることができる。
【００１８】
これより、図面に示された例示的な実施形態に言及し、これらの例示的な実施形態を記載するのに特定的な言語を使用する。しかしながら、それによって、本発明の範囲を制限することを意図するものとは理解されないであろう。関連技術に精通し、本開示の成果を保有する当業者に思い浮かぶであろう、本願に示された本発明の特徴の変形および更なる変更、並びに、本願に示された本発明の原理の追加の応用は、本発明の精神内にあると考えられる。
【００１９】
図１は、流体を貯蔵することができるブラダ１１７を収容するためのチャンバ１１５を形成するベース１０１、上側部分１０９、および、ベース１０１から上側部分１０９まで延びるパネル１１３を有する貯水装置１００の１つの実施形態を示す。
【００２０】
ベース１０１は、側壁１０２およびホイール１０３を有するのがよい。ベースの側壁１０は、穴１０５を含むのがよく、この穴１０５を通して、ホース１０７または蛇口のような流体分配取付具が取り外し可能に結合されるのがよい。図１に示されているとおり、例示的なホース１０７は、実質的に矩形を有するように隅部を備えるのがよいが、かかる分配ホース１０７の実施形態は、流体を分配することができるように丸められ、或いはその他の仕方で形状決めされてもよいことを理解すべきである。
【００２１】
ベース１０１は、複数のホイール１０３を備えるのがよい。いくつかの実施形態では、ホイール１０３は、ベース１０１の外面または下面に取り外し可能に取り付けられ、回転可能に結合されるのがよい。図１３に示されているようないくつかの実施形態では、ホイール１０３は、ベース１０１の側壁１０２から突出する車軸に取り外し可能に取り付けられ、回転可能に結合されるのがよい。いくつかの実施形態では、かかる車軸は、ベースの側壁に取り外し可能に結合されるのがよい。ホイール１０３の実施形態は、人間が発生する力を加えることにより、貯蔵装置１００を移動させることができる寸法であるのがよい。以下に詳細に説明するように、いくつかの実施形態では、ホイール１０３は、ベース１０１の側壁１０２が上側部分１０９の側壁１１０に隣接して置かれるときにベース１０１および上側部分１０９によって構成されるハウジング内に格納されるのがよい。いくつかの実施形態では、ホイール１０３は、貯水装置１００のその他の構成要素を備えるベース１０１と上側部分１０９の間のハウジングに格納されるのがよい。
【００２２】
貯水装置１００は、上側部分１０９を含むのがよい。上側部分１０９の実施形態は、側壁１１０および上側水平面１１１を含むのがよい。いくつかの実施形態では、穴１１２が、上側水平面１１１に形成されるのがよい。いくつかの実施形態では、穴１１２にキャップ１１８が配置されるのがよい。いくつかの実施形態では、ハンドル１１３が、上側部分１０９に取り外し可能に取り付けられるのがよい。
【００２３】
図１に示されているハンドル１１３の例示的な実施形態では、ハンドル１１３は、上側部分１０９の上側水平面１１１に取り付けられている。例示的なハンドルの１つ１１３ａが、上側部分１０９の上側水平面１１１に取り付けられた２つのポストを有するように示されている。例示的なハンドルのもう１つ１１３ｂが、上側水平面１１１に取り付けられた第１のポストを有し、ハンドルが下方に延びて、チャンバ１１５のコラム１１６に取り付けられ第２のポストを有するように示されている。ハンドル１１３の実施形態は、人間が発生する力により貯水装置１１０を移動させるときに、ハンドルが人間の握りと心地よさを助けることができるように任意の数の位置で貯水装置１００に取り取り付けられるのがよいことを理解すべきである。いくつかの実施形態では、ハンドル１１３は、ベース１０１と上側部分１０９の間のハウジングに格納されるのがよい。いくつかの実施形態では、ハンドル１１３は、貯水装置１００が折り畳まれ、ハウジングに格納されるときに、搬送能力を提供するように作動されるのがよい。いくつかの実施形態では、ハンドル１１３は、貯水装置１００が折り畳まれ、ハウジングに格納されるときに、搬送能力を提供するように、貯水装置１１０上の別の位置に移動され、または、取り外されて、貯水装置１１０上の別の位置に再取り付けされるのがよい。
【００２４】
貯水装置１００は、流体を貯蔵するためのブラダ１１７を収容するチャンバ１１５を含むのがよい。チャンバ１１５は、ベース１０１から上側部分１１９まで延び、それによって、貯水装置１００およびチャンバ１１５の形状を構成する１つまたはそれ以上のパネル１１４を備えるのがよい。チャンバ１１５の実施形態は、折り畳み可能であるか、或いはその他の仕方で分解できるのがよい。いくつかの実施形態では、パネル１１４は、当接構成要素（例えば、ベース１０１、上側部分１０９）から取り外すことができる。いくつかの実施形態では、チャンバ１１５は、ベース１０１から上側部分１０９まで延び、チャンバ１１５の隅部を構成するコラム１１５を備えるのがよく、チャンバ１１５の隅部は、面の数に基づいた角度を有するのがよい。コラム１１６の実施形態は、１つまたはそれ以上の当接構成要素（例えば、パネル１１４、ベース１０１、上側部分１０９）に取り外し可能に結合されるのがよい。
【００２５】
図１に示されている貯水装置１００の例示的な実施形態は、六面を有する立方体である。しかしながら、貯水装置１００の実施形態は、流体を貯蔵するためのブラダ１１７を収容するチャンバ１１５を形成することができる任意の数の面を有してよいことを理解すべきである。換言すれば、飲料水貯蔵装置１００のいくつかの実施形態は、形状が実質的円筒形でもよいと理解すべきである。本願で記載されている貯水装置１００の構成要素（例えば、ベース１０１、上側部分１０９、チャンバ１１５）は、貯水装置１００の実施形態の形状に応じた数の面を有してよいことも理解すべきである。かくして、貯水装置の実施形態を記載するのに使用される用語「面(sides)」は、貯水装置１００、ベース１０１、上側部分１０９、および、チャンバ１１５の形状を制限することを意図するものではないことを理解すべきである。例えば、実質的に円筒形状を形成する実施形態では、ベース１０１および上側部分１０９は、各々円形形状を形成するのがよい。チャンバ１１５は、ベース１０３から上側部分１０９まで延び、実質的に管状形状を形成する１つまたはそれ以上のパネル１１３を備えるのがよい。
【００２６】
図２Ａは、貯水装置のためのベース２００の例示的な実施形態の背面からの内部斜視図を示している。図２Ｂは、貯水装置のためのベース２００の例示的な実施形態の正面からの内部斜視図を示している。ベース２００は、側壁２０１および下側水平面２０２を備え、共にベース２００の内部上の凹部２０３を構成している。
【００２７】
ベース２００は、装置のチャンバに面した内側、すなわち、上側と、装置のチャンバから遠い方に面した外側、すなわち、下側と、を備えるのがよい。ベース２００は、側壁２０１を備えるのがよい。側壁の数は、貯水装置の実施形態の面の数に基づくのがよい。ベース２００の側壁２０１は、貯水装置のチャンバに向かって上方に突出するのがよい。下側水平面２０２、および、下側水平面２０２から遠い方への側壁２０１の突出は、ベース２００の凹部２０３を構成するのがよい。いくつかの実施形態では、側壁２０１は、内側側壁２０１ａおよび外側側壁２０１ｂによって構成された溝２０４を備えるのがよい。これらの溝２０４は、チャンバまたはパネルの端を受け入れることができ、側壁は、チャンバを構成する構成要素を支持し、制御するのに必要な量、上方に突出するのがよい。
【００２８】
図２Ａに示されているようないくつかの実施形態では、バンパ２０６が、ベース２００の後部の側壁上に取り付けられるのがよい。
【００２９】
図２Ｂに示されているようないくつかの実施形態では、穴２０５が、ベース２００の前側の側壁２０１に形成されるのがよい。いくつかの実施形態では、穴２０５は、気密であるのがよく、流体が逃げるのを防止する、いくつかの実施形態では、凹部２０３に載置する流体を貯蔵するためのブラダが、側壁２０１の内側で穴２０５に取り外し可能に結合さされるオリフィスを備えるのがよい。いくつかの実施形態では、水ディスペンサ（例えば、ホース、蛇口）が、側壁２０１の外側で穴２０５に取り付けられるのがよい。いくつかの実施形態では、グロメット、ねじ付きリング、或いは水ディスペンサを取り外し可能に結合するためのその他の手段を備える外側リング２０５ａが、穴２０５を包囲するのがよい。すなわち、外側リング２０５ａの実施形態は、穴２０５に水ディスペンサを取り付け、ねじ止めし、或いはその他の仕方で取り外し可能に結合する手段を提供するのがよい。
【００３０】
図３は、貯水装置のための上側部分３００の例示的な実施形態の外部斜視図である。上側部分３００のこの例示的な実施形態は、上側部分３００に凹部（図示せず）を構成する側壁３０１および上側水平面３０２を備える。
【００３１】
上側部分３００の実施形態は、装置のチャンバに面した内側、すなわち、下側と、装置のチャンバから遠い方に面した外側、すなわち、上側と、を備えるのがよい。いくつかの実施形態では、上側水平面３０２は、上側部分３００を通して、上側部分３００の内側の流体を貯蔵するブラダまで延びる充填穴３０３を備えるのがよい。いくつかの実施形態では、ブラダは、ブラダを充填するための流体を受け入れるために、および／またはブラダの内容物を分配するために、上側部分３０の内側で充填穴に取り外し可能に取り付けられたオリフィスを備えるのがよい。いくつかの実施形態では、キャップ３０４が、上側水平面３０２に形成された充填穴３０３を密封するのがよい。キャップ３０４は、ブラダの内容物の損失を防止することができ、ブラダの内容物の汚染も防止することができる。以下で詳細に説明するように、いくつかの実施形態では、充填ホース、漏斗、或いはその他の流体を供給する手段が充填穴３０３の外側に取り付けられるのがよく、上側部分３００の内側に取り付けられたブラダのオリフィスに流体を供給することができる。
【００３２】
いくつかの実施形態では、上側水平面３０２は、上側水平面３０２にハンドルを取り付けるための手段、例えば、ハンドルのポストを受け入れるための穴３０５を備えるのがよい。
【００３３】
上側部分３００の実施形態は、貯水装置の内部に向かって下方に突出する複数の側壁３０１を含むのがよい。側壁３０１および上側水平面３０２は、上側部分３００の内側に凹部（図示せず）を形成するのがよい。いくつかの実施形態では、側壁３０１は、内部側壁３０６ａおよび外部側壁３０６ｂによって構成された溝３０６を備えるのがよい。これらの溝３０６は、チャンバまたはパネルの端を受け入れることができ、側壁は、チャンバを構成する構成要素を支持し、制御するのに必要な量、下方に突出するのがよい。
【００３４】
図４は、ベース４０１、上側部分４０３、パネル４０６、および、コラム４０７によって構成されるチャンバ４０５を有する貯水装置４００のチャンバ４０５を構成する構成要素を示している。
【００３５】
貯水装置４００は、外部スペースから内部スペースを仕切るチャンバ４０５を備える。チャンバ４０５は、貯水装置４００の構成要素を立ち上げることによって形成されるのがよい。いくつかの実施形態では、側方パネル４０６およびコラム４０７の第１の端は、ベース４０１に形成された溝内に挿入されるのがよい。いくつかの実施形態では、可撓性流体ブラダ（図示せず）が、チャンバ４０５の内部スペースに配置されるのがよく、ブラダのオリフィスが、ベース４０１に設けられた穴４０２に穴４０２の内側で取り外し可能に取り付けられるのがよい。側方パネル４０６およびコラム４０７は、可撓性流体ブラダが充填されている間、可撓性流体ブラダを収容するための構造を提供することができる。いくつかの実施形態では、側方パネル４０６およびコラム４０７の各々の第２の端が上側部分４０３の溝内に挿入されるのがよい。いくつかの実施形態では、一旦ブラダのオリフィスが上側水平面の充填穴（図示せず）に結合された後、上側部分４０３は、側方パネル４０６およびコラム４０７を上側部分４０３の溝内に嵌めることにより、チャンバ４０５の側方パネル４０６およびコラムに接合され、それによって、チャンバ４０５を形成することができる。
【００３６】
いくつかの実施形態では、貯水装置４００のチャンバ４０５は、上側部分４０３およびベース４０１にクリップ止めされ、チャンバ４０５のまわりに巻かれたバンジー（図示せず）によって互いに固着される。いくつかの実施形態では、貯水装置の接合部を固着するために、クリップ、スナップ、ねじ、または、ボルトが使用されるのがよい。
【００３７】
貯水装置４００の実施形態は、貯水装置４００の種々の特徴を例示化するために骸骨側方パネル４０６を有するように示されていることを理解すべきである。いくつかの実施形態は、全く中実である構成要素を有してもよい。いくつかの実施形態は、構成要素を透明およびシースルーにする化学組成物でできているのがよい。いくつかの実施形態は、構成要素を忠実にし、内部が見ることができないようにする化学組成物でできていてもよい。
【００３８】
図５は、第１のオリフィスおよび第２のオリフィスを備えた貯水装置のための可撓性ブラダ５００の例示的な実施形態を示している。
【００３９】
可撓性ブラダ５００は、ブラダ５００に流体を充填し、および／または、ブラダ５００から流体を引き出すための１つまたはそれ以上のオリフィス５０１、５０２を備えるのがよい。いくつかの実施形態では、第１のオリフィス５０１は  ブラダ５００を収容するチャンバの穴に対応しているのがよい。いくつかの実施形態では、第１のオリフィスは、チャンバの対応する穴に取り外し可能に結合されるのがよい。いくつかの実施形態では、ブラダ５００の頂部の近くに配置され、チャンバの上側部分の穴に対応するのがよい。
【００４０】
図５の例示的な実施形態は、単にブラダ５００の可撓性を表示するために可撓性ブラダ５００を立方体として示している、すなわち、ブラダ５００の実施形態は、流体で実質的に充填されたときに、収容チャンバの形状を取るように見えることを理解すべきである．図５のブラダ５００は、図面に示された例示的な実施形態の故に、実質的に形状が立方体であるものとして示されている。しかしながら、ブラダ５００の実施形態は、図５の例示的な実施形態、および、本願に記載された他のいずれの実施形態に示された形状に限定されないことを理解すべきである。ブラダ５００の実施形態は、予め規定された形状を有しなくてよく、ブラダ５００の実施形態は、任意の予め規定された形状を有することができ、および／または、ブラダ５００の実施形態は、流体的に変化する形状を有することができることを理解すべきである。
【００４１】
図６は、ベース６０の下の外部底側からの貯水装置の例示的な実施形態の斜視図を示している。貯水装置６００は、ベース６０１と、ブラダ６１３を収容するチャンバ６１１と、上側部分６０９と、を有する。ベース６０１は、側壁６０３および下側水平面６０５を有する。
【００４２】
先に説明したように、ベース６０１は、上側部分６０９に向かって上方に突出する側壁６０３を備えるのがよい。いくつかの実施形態では、後部側壁６０３ａは、バンパ６０４、或いはいくつかの他の有用な取付具を備える。ベース６０１は、内側、すなわち上側に面を有し、外側、すなわち下側に面を有する下側水平面６０５を有する。いくつかの実施形態では、下側水平面６０５の外側は、ベース６０１にホイール６０７を取り付けるための手段を備えるのがよい。いくつかの実施形態では、下側水平面６０５は、ホイール６０７に取り付けられたポストを受け入れるための穴（図示せず）を備えるのがよい。しかしながら、他の実施形態では、回転可能なホイール６０７を取り外し可能に取り付けるための他の手段が可能である。
【００４３】
任意の数の回転可能に結合されたホイール６０７が、ベース６０５または下側水平面６０５以外の位置で貯水装置６００に取り付けられることができることを理解すべきである。ホイール６０７は、任意の寸法を有してよいことを理解すべきである。
【００４４】
図７は、ブラダ７０１を収容するチャンバ７０１と、ベース７０３と、上側部分７０５と、を含む貯水装置７００の組み立てられた例示的な実施形態の背面図である。
【００４５】
図７の例示的な実施形態に示されているように、チャンバ７０１は、貯水装置７００の下端に設けられたベース７０３、および、貯水装置７００の上端に設けられた上側部分７０５によって構成されるのがよい。いくつかの実施形態では、貯水装置７００の側面は、ベース７０３から上側部分７０５まで延びる側方パネル７０９およびコラム７０７によって構成されるのがよい。
【００４６】
上側部分７０５は、内部に面した側、すなわち、下側と、外部に面した外側、すなわち、上側と、を有する上側水平面７０６を備えるのがよい。いくつかの実施形態では、上側部分７０５は、チャンバ７０１内に収容されたブラダ７１１のオリフィスに接近するための充填穴７１７を備えるのがよい。充填穴７１７は、上側水平面７０６の外側に設けられたキャップ７１８によって密封されるのがよい。いくつかの実施形態では、上側部分７０５は、ハンドル７１５を備えるのがよい。いくつかの実施形態では、上側水平面７０６の外側は、ハンドル７１５を取り付けるための穴、或いはその他の手段を備えるのがよい。貯水装置７００のいくつかの実施形態は、ベース７０３に取り外し可能に取り付けられた回転可能なホイール７１３を有するベース７０３を含むのがよい。いくつかの実施形態では、ホース７１９が、ブラダ７１１から流体を分配するために貯水装置７００に取り外し可能に結合されるのがよい。
【００４７】
図８は、ブラダ８１１を収容するチャンバ８０１と、ベース８０３と、上側部分８０５と、を含む貯水装置８００の組み立てられた例示的な実施形態の正面斜視図である。
【００４８】
図８の例示的な実施形態に示されているように、チャンバ８０１は、貯水装置８００の下端に設けられたベース８０３、および、貯水装置８００の上端に設けられた上側部分８０５によって構成されるのがよい。いくつかの実施形態では、貯水装置８００の側面は、ベース８０３から上側部分７０５まで延びる側方パネル８０９およびコラム８０７によって構成されるのがよい。
【００４９】
上側部分８０５は、内部に面した側、すなわち、下側と、外部に面した外側、すなわち、上側と、を有する上側水平面８０６を備えるのがよい。いくつかの実施形態では、上側部分８０５は、チャンバ８０１内に収容されたブラダ８１１のオリフィスに接近するための充填穴８１７を備えるのがよい。充填穴８１７は、上側水平面８０６の外側に設けられたキャップ８１８によって密封されるのがよい。いくつかの実施形態では、上側部分８０５は、ハンドル８１５を備えるのがよい。いくつかの実施形態では、上側水平面８０６の外側は、ハンドル８１５を取り付けるための穴、或いはその他の手段を備えるのがよい。貯水装置８００のいくつかの実施形態は、ベース８０３に取り外し可能に取り付けられた回転可能なホイール８１３を有するベース８０３を含むのがよい。いくつかの実施形態では、ホース８１９が、ブラダ８１１から流体を分配するためにベース８０３内へ形成された穴８２０でベース８０３に取り付けられるのがよい。
【００５０】
図９は、ブラダ９０１を収容するチャンバ９０１と、ベース９０３と、上側部分９０５と、を含む貯水装置９００の組み立てられた例示的な実施形態の背面図である。
【００５１】
図９の例示的な実施形態に示されているように、チャンバ９０１は、貯水装置７００の下端に設けられたベース９０３、および、貯水装置９００の上端に設けられた上側部分９０５によって構成されるのがよい。いくつかの実施形態では、貯水装置９００の側面は、ベース９０３から上側部分９０５まで延びる側方パネル９０９およびコラム９０７によって構成されるのがよい。
【００５２】
上側部分９０５は、内部に面した側、すなわち、下側と、外部に面した外側、すなわち、上側と、を有する上側水平面７０６を備えるのがよい。いくつかの実施形態では、上側部分９０５は、チャンバ９０１内に収容されたブラダ９１１のオリフィスに接近するための充填穴９１７を備えるのがよい。充填穴９１７は、上側水平面９０６の外側に設けられたキャップ９１８によって密封されるのがよい。図９に示されているようないくつかの実施形態では、上側部分は、上側部分からコラム９０７まで延びるハンドル９１５を備えるのがよい。ハンドル９１５は、上側部分９０５に取り外し可能に取り付けられた第１のポスト、コラム９１５に取り外し可能に取り付けられ第２のポストを備えている。いくつかの実施形態では、上側水平面９０６の外側は、ハンドル９１５を取り付けるための穴、或いはその他の手段を備えるのがよい。
【００５３】
貯水装置９００のいくつかの実施形態は、ベース９０３に取り外し可能に結合されたホイール９１３を有するベース９０３を含むのがよい。いくつかの実施形態では、ホース９１９が、ブラダ９１１から流体を分配するために貯水装置９００に取り外し可能に結合されるのがよい。
【００５４】
図１０は、取り外し可能なハンドル１００７を有する上側部分１００１、および、ホース１００９を備えた貯水装置１０００の組み立てられた実施形態の平面図である。
【００５５】
図１０に示されている例示的な実施形態のような貯水装置のいくつかの実施形態は、貯水装置のブラダのオリフィスに接近するための充填穴１００５を有する上側部分１００１を含む。いくつかの実施形態では、充填穴１００５は、取り外し可能なキャップ１００５ａによって密封されるのがよい。いくつかの実施形態では、ハンドル１００７は、上側部分１００１に設けられたハンドル穴１０１１を介して上側部分１００１に取り付けられるのがよい。
【００５６】
図１１は、ブラダ１１０３が流体で充填される貯水装置１１００の組み立てられた例示的な正面斜視図である。貯水装置１１００の例示的実施形態は、上側部分１１０１、およびブラダ１１０３を収容するチャンバ１１０２を含む。
【００５７】
図１１の実施形態では、チャンバ１１０２は、チャンバ１１０２は、供給ホース１１０７を使用してブラダのオリフィスを通して流体が充填されているブラダを収容することができる。上側部分１１０１は、供給ホース１１０７、或いはパイプまたは漏斗のような、流体を受け入れるための他の手段を受け入れることができる充填穴１１０５を備えるのがよい。いくつかの実施形態では、供給ホース１１０７は、充填穴１１０５に取り外し可能に結合されるのがよい。いくつかの実施形態では、ブラダ１１０３は、上側部分１１０１の充填穴１１０５に対応するオリフィス（図示せず）を備えるのがよい。いくつかの実施形態では、ブラダ１１０３の対応するオリフィスは、上側部分１１０１の充填穴の内側に取り外し可能に結合されるのがよい。
【００５８】
貯水装置１１００は、分配穴１１１１を含むのがよい。いくつかの実施形態では、ホース１１１３または蛇口のような流体ディスペンサは、貯水装置１１００の分配穴１１１１に取り外し可能に接続されるのがよい。いくつかの実施形態では、ブラダ１１０３は、分配穴１１１１に対応したオリフィス（図示せず）を備えるのがよい。すなわち、かかる実施形態では、ブラダ１１０３の対応するオリフィスは、ベースの分配穴１１１１の内側に取り外し可能に結合されるのがよい。
【００５９】
図１２は、分解された形態の貯水装置１２００の例示的な実施形態を示している。すなわち、本願で開示されている貯水装置のいくついかの実施形態は、種々の形態は可能であるのがよい。貯水装置のいくつかの実施形態は、折り畳み或いは他の仕方で分解することができる構成要素であるのがよい。いくつの実施形態では、いくつかの構成要素は、一旦折り畳まれ、或いは分解されると、他の構成要素を格納することができ、他の構成要素はまた、折り畳まれ、或いは分解されることができる。図１２に示されているように、折り畳まれた或いは分解された形態で示された貯水装置１２００の１つの例示的な実施形態は、上側部分１２０１およびベース１２０２を含むのがよい。
【００６０】
いくつかの実施形態では、上側部分１２０１は、貯水装置１２００が分解された形態にあるときに、ブラダを充填するための充填穴１２０７を備えるのがよい。いくつかの実施形態では、充填穴１２０７は、上側部分１２０１の上側水平面内１２０５へ形成されてもよい。
【００６１】
いくつかの実施形態では、ベース１２０２は、側壁２０４内へ形成された穴１２０６を備えるのがよい。いくつかの実施形態では、穴１２０６は、貯水装置１２００が組み立てられた形態にあるときにブラダに貯蔵されることができる水、或いは他の液体を分配するためのものであるのがよい。
【００６２】
いくつかの実施形態では、ベース１２０２の側壁１２０４は、上側部分１２０１に向かって突出する、上側部分は１２０１は、ベース１２０２に向かって突出するのがよく、それによって分解された貯水装置１２００の例示的な形態からハウジングを形成することができる。すなわち、貯水装置１２００の分解された形態から形成されるハウジングは、バース２００２の側壁１２０４を、上側部分１２０１の側壁１２０３に実質的に隣接して配置することによって形成だれるのがよい。いくつかの実施形態では、分解された形態の貯水装置の種々の構成要素（例えば、パネル、ホイール、ブラダ）をハウジング内に格納することができる。
【００６３】
図１３は、ベース１３０１の側壁１３０３から突出するホイール１３０７を含む貯水装置１３００の例示的な実施形態を示している。
【００６４】
いくつかの実施形態では、取り外し可能な車軸１３０５が、ベース１３０１の側壁１３０３から突出するのがよい。かかる実施形態では、取り外し可能なホイール１３０７が、貯水装置１３００の両側で車軸１３０５に取り外し可能に結合されるのがよい。いくつかの実施形態では、取り外し可能なホイール１３０７は、車軸１３０５に回転可能に結合されるのがよく、車軸１３０５は、ベース１３０１の下側水平面で貯水装置の下側のベース１３０１に取り付けられるのがよい。
【００６５】
１つの例では、取り外し可能なホイール１３０７は、自転車ホイールのようなワイヤフレームホイールであるのがよく、これらのホイール１３０７は、車軸１３０５に取り外し可能に結合されるのがよい。いくつかの実施形態では、貯水装置１３００の一方の端のホイール１３０７は、貯水装置１３００の他方の端のホイール１３０７よりも大きいのがよい。
【００６６】
図１４は、上側部分１４０２と、ベース１４０４と、上側部分１４０２とベース１４０４の間に位置するチャンバ１４０６と、を含む貯水装置１４００の例示的な実施形態を示している。図１４の例示的な実施形態では、チャンバ１４０６は、中央部分１４１２によって上側パネル１４０８、上側コラム１４１０、下側パネル１４０９、および、下側コラム１４１１に仕切られている側方パネル１４０８、１４０９およびコラム１４１０、１４１１を含むのがよい。
【００６７】
いくつかの実施形態では、チャンバ１４０６の構成要素は、中央部分１４１２によって仕切られているのがよい。中央部分１４１２は、隣接するパネル１４０８、１４０９およびコラム１４１０、１４１１を互いに結合させ、それによってチャンバ１４０６を形成することができる結合ジョイントであるのがよい。いくつかの実施形態では、中央部分１４１２は、上側構成要素１４０８、１４１０が締結されるのがよい下側構成要素１４０９、１４１１の頂部のベベルによって構成されるのがよい。いくつかの実施形態では、中央部分１４１２は、下側構成要素１４０９、１４１１が締結されるのがよい上側構成要素１４０８、１４１０の底部のベベルによって構成されるのがよい。
【００６８】
いくつかの実施形態では、中央部分１４１２は、チャンバ１４０６を仕切り、チャンバの構成要素１４０８、１４０９、１４１０、１４１１を互いに、および／または、中央部分１４１２に締結することを可能にする中実の仕切りであるのがよい。かかる実施形態では、貯水装置１４００は、チャンバ１４０６の各々の仕切り内にブラダを含むのがよい。
【００６９】
いくつかの実施形態では、上側部分は、貯水装置１４００の人間動力による移動を容易にするハンドルを備えるのがよい。いくつかの実施形態では、ホイール１４１６は、ベース１４０４の側部から突出する車軸によって貯水装置の側部に配置されるのがよく、車軸は、ホイール１４１６が車軸に回転可能に取り付けることを可能にする。追加的に、或いは代替的に、いくつかの実施形態では、ペグ１４１４が、ベース１４０４に取り外し可能に取り付けられるのがよい。
【００７０】
図１４に示されているようないくつかの実施形態では、ベース１４０４は、ベース１４０４の対向する端にホイール１４１６およびペグ１４１４を備えるのがよい。ホイール１４１６は、貯水装置１４００の重量が、ベース１４０４の車軸上で人間オペレータまたは貯水装置１４００を移動させる他の手段の方に傾けられるように、上側部分１４０２に取り付けられたハンドル１４１８の下に位置決めされるのがよい。ホイール４１６を使用して貯水装置１４００が新たな場所に移動されたときに、重量は、車軸上でベース１４０４のペグ１４１４上へシフトされるのがよい。
【００７１】
いくつかの実施形態では、貯水装置１４００は、格納のために種々の仕方で分解されるのがよい。いくつかの実施形態では、チャンバの構成要素１４０８、１４０９、１４１０、１４１１は、先に説明したように、ハウジング内に格納されるのがよい。図１５に示されている実施形態のようないくつかの実施形態では、側方パネル１４０８、１４０９は、互いの上に積み重ねられて、次いで、側方パネルの積み重ねは、ベース１４０４の側壁と上側部分１４０２の側壁の間に配置されるのがよい。
【００７２】
図１５は、格納の準備ができた分解された形態の貯水装置１５００の例示的な実施形態である。分解された、または折り畳まれた貯水装置１５００の例示的な実施形態は、充填穴１５０２を有する上側部分１５０１と、ベース１５０３と、側方パネル１５０５の積み重ねと、を含む。
【００７３】
ベース１５０３の側壁は、貯水装置１５００の種々の構成要素を格納するために、上側部分１５０１の凹部に面したベースの凹部によってハウジングが形成されるように、上側部分の側壁に当接されるのがよい。いくつかの実施形態では、貯水装置１５００の構成要素は、ベース１５０３および上側部分１５０１によって形成された格納ハウジング内に嵌まるのがよい。図１５の例示的な実施形態にあるようないくつかの実施形態では、折り畳まれたチャンバを形成する側方パネル１５０５は、互いに積み重ねられるのがよい。かかる実施形態では、貯水装置１５００の他の構成要素は、ベース１５０３、上側部分１５０１、および、ベース１５０３の側方パネルが、側方パネル１５０５の積み重ねの一方の端に隣接し、上側部分１５０１の側方パネルが、側方パネル１５０５の積み重ねの他方の端に隣接するように積み重ね可能な側方パネル１５０５によって形成されることができる格納ハウジング内に嵌まるのがよい。
【００７４】
いくつかの実施形態では、取り外し可能なハンドル１５０７は、格納ハウジング内に格納されるのがよい。図１５にあるようないくつかの実施形態では、取り外し可能なハンドル１５０７は、分解されるときに、異なる形状または構成を有する貯水装置１５００のより容易な移動性を可能にするように、格納ハウジングの種々の領域に取り付けられるのがよい。
【００７５】
本願で記載されている例示的な実施形態は、水を貯蔵し、搬送することができる装置に関する。しかしながら、本発明の実施形態は、水に限定されることを意図するものではないことが理解されるべきである。本発明の実施形態は、任意の流体を貯蔵し、および／または、分配することができることを理解すべきである。例示的な実施形態は、本願に記載されている機能の１つまたはそれ以上を実行するための装置に関することができる。当業者は、記載された方法および装置を、特定の用途のために、種々の仕方で実施することができるが、かかる実施の決定は、本発明の範囲からの逸脱を引き起こすように解釈されるべきではない。種々の観点および実施形態を開示してきたけれども、他の観点および実施形態が考えられる。開示された種々の観点および実施形態は、例示の目的のためであり、制限することを意図しておらず、真の精神および範囲は、添付の特許請求の範囲に示されている。開示されたこれまでの記載は、任意の当業者が本発明を製造し、或いは使用することを可能にするために提供されている。これらの実施形態に対する種々の変更が、当業者には容易に明らかであり、本願で規定されている一般的な原理は、本発明の精神および範囲を逸脱することなく、他の実施形態に適用することができる。したがって、本発明は、本願に示された実施形態に限定されることを意図するものではなく、添付の特許請求の範囲並びに本願に開示され原理および特徴と適合した最も広い範囲に従うべきである。
【符号の説明】
【００７６】
１００  貯水装置
１０１  ベース
１０２  ホイール
１０９  上側部分
１１３  パネル
１１５  チャンバ
１１７  ブラダ
【図１】
0006330107.tif 000002
【図２Ａ】
0006330107.tif 000003
【図２Ｂ】
0006330107.tif 000004
【図３】
0006330107.tif 000005
【図４】
0006330107.tif 000006
【図５】
0006330107.tif 000007
【図６】
0006330107.tif 000008
【図７】
0006330107.tif 000009
【図８】
0006330107.tif 000010
【図９】
0006330107.tif 000011
【図１０】
0006330107.tif 000012
【図１１】
0006330107.tif 000013
【図１２】
0006330107.tif 000014
【図１３】
0006330107.tif 000015
【図１４】
0006330107.tif 000016
【図１５】
0006330107.tif 000017